(57)【要約】【課題】不正行為（どつき行為）を極めて低コストかつ容易に防止できる弾球遊技機の不正行為防止構造を提供する。【解決手段】遊技領域に設けられた入口２７から緩やかな下り勾配の誘導路２８を通って振分け装置手前の待機部２４に到達した遊技球２２を、待機部到達時の振分け装置２３の駆動状態に応じて、特定領域を通過させて賞球を獲得させ得る第１経路２５又は特定領域を通過させることのない第２経路２６のうちのいずれかに振分け導入させる遊技球振分け機構２１を備えた弾球遊技機において、誘導路２８上に段差４１を設けた。この段差４１は、待機部２４に遊技球２２が位置したときの遊技球背面側に、振分け装置２３側を落下面側として形成し、パチンコ機に衝撃を加えても遊技球２２を誘導路入口２７側に逆行させて振分け部材３３への到達時間を先延ばし調整することを不可能とした。【選択図】図２
2008220402.tif 000002
【特許請求の範囲】
【請求項１】
遊技領域に設けられた入口から緩やかな下り勾配の誘導路を通って振分け装置の手前の待機部に到達した遊技球を、その待機部到達時の前記振分け装置の駆動状態に応じて、特定の領域を通過させて賞球を獲得させ得る第１経路、又は前記特定の領域を通過させることのない第２経路のうちのいずれかに振分け導入させる遊技球振分け機構を備えた弾球遊技機において、
前記誘導路上の、前記待機部に遊技球が位置したときの該遊技球の背面側適宜箇所に、前記振分け装置側を落下面側とする段差を設けたことを特徴とする弾球遊技機の不正行為防止構造。
【請求項２】
前記遊技球振分け機構は、
軸周り方向に回転自在で、回転軸方向に交差する一端面が遊技機正面側に向けられ、外周面には外れ球保持部と当り球保持部とが間隔を置いて切欠き形成された振分け部材を前記振分け装置に備え、
前記待機部に到達した遊技球を、回転する前記振分け部材の最初に対向する外れ球保持部又は当り球保持部に保持させて移動させ、
前記外れ球保持部に保持した遊技球を、その外れ球保持部が前記第２経路の入口に対向した際に該第２経路に導入させ、
前記当り球保持部に保持した遊技球を、その当り球保持部が下方に向いた時に前記第１経路に導入させるように構成されたことを特徴とする請求項１に記載の弾球遊技機の不正行為防止構造。
【請求項３】
遊技機正面側に向けられた前記振分け部材の一端面に所望の意匠が施されていることを特徴とする請求項２に記載の弾球遊技機の不正行為防止構造。
【発明の詳細な説明】
【技術分野】
【０００１】
本発明は、パチンコ機やスマートボール等の弾球遊技機に衝撃や振動を加えて賞球を得ようとする不正行為（所謂どつき行為）の防止に有効な弾球遊技機の不正行為防止構造に関するものである。
【背景技術】
【０００２】
従来、この種の技術としては特許文献１に記載のものがあった。
これは、遊技盤に打ち出された遊技球が通過する複数の通過孔のうち、いずれかの通過孔が遊技上の有利な特典を付与する当たり孔に選択される遊技機において、振動センサを設けてどつき行為を検知し、検知回数が閾値を超えた場合には抽選を行って前記当たり孔の選択をし直すというものである。
【０００３】
【特許文献１】特開２００５−１６０９５３号公報
【発明の開示】
【発明が解決しようとする課題】
【０００４】
しかしながら上記従来技術では、高価な振動センサを使用するためにコスト高になった。また、当たり孔の選択のし直しは、現実的でない。特に、遊技場には、通常多数の遊技機が設置されるが、上記従来技術では当たり孔の選択がし直された遊技機とそうでない遊技機とが混在することになり、遊技者に混乱を招くという問題もあった。
本発明の課題は、不正行為、特にどつき行為の防止を極めて低コストかつ容易に実現でき、しかも、多数の遊技機が設置される遊技場において遊技者に混乱を与えることもない、弾球遊技機の不正行為防止構造を提供することにある。
【課題を解決するための手段】
【０００５】
上記課題を解決するための手段を以下に述べる。
各手段は、項に区分し、各項に番号を付し、必要に応じて他の項の番号を引用する形式で記載する。これは、本発明の理解を容易にするためであって、本明細書に記載の技術的特徴が以下の各項に記載のものに限定されるものではない。
以下の各手段のうち、（１）項が請求項１に、（２）項が請求項２に、（３）項が請求項３に、各々対応する。
【０００６】
（１）遊技領域に設けられた入口から緩やかな下り勾配の誘導路を通って振分け装置の手前の待機部に到達した遊技球を、その待機部到達時の前記振分け装置の駆動状態に応じて、特定の領域を通過させて賞球を獲得させ得る第１経路、又は前記特定の領域を通過させることのない第２経路のうちのいずれかに振分け導入させる遊技球振分け機構を備えた弾球遊技機において、前記誘導路上の、前記待機部に遊技球が位置したときの該遊技球の背面側適宜箇所に、前記振分け装置側を落下面側とする段差を設けたことを特徴とする弾球遊技機の不正行為防止構造。
緩やかな下り勾配とは、本項が適用される弾球遊技機の一般的な構造において、遊技機、特にその遊技球振分け機構近傍を叩く等して衝撃や振動を加え、誘導路を走行する、あるいは待機部に到達した遊技球を、上記入口（誘導路入口）側に逆行させ得るくらい落差の少ない下り勾配を指す。
振分け装置としては、軸周り方向に回転自在で外周面に複数の切欠きが形成されたスプロケット状の振分け部材や、シーソー状の振分け部材を備えたものがある。
（２）前記遊技球振分け機構は、軸周り方向に回転自在で、回転軸方向に交差する一端面が遊技機正面側に向けられ、外周面には外れ球保持部と当り球保持部とが間隔を置いて切欠き形成された振分け部材を前記振分け装置に備え、前記待機部に到達した遊技球を、回転する前記振分け部材の最初に対向する外れ球保持部又は当り球保持部に保持させて移動させ、前記外れ球保持部に保持した遊技球を、その外れ球保持部が前記第２経路の入口に対向した際に該第２経路に導入させ、前記当り球保持部に保持した遊技球を、その当り球保持部が下方に向いた時に前記第１経路に導入させるように構成されたことを特徴とする請求項１に記載の弾球遊技機の不正行為防止構造。
振分け装置の振分け部材として、軸周り方向に回転自在で、回転軸方向に交差する一端面が遊技機正面側に向けられ、外周面には外れ球保持部と当り球保持部とが間隔を置いて切欠き形成されたものを用いている。したがって、遊技機正面視において、外れ球保持部及び当り球保持部を形成する切欠きの回転が見える。また、振分け部材の一端面（正面）に任意の模様やキャラクタ等も描ける。つまり、シーソー状の振分け部材に比べて、変化に富み面白みが付加される構成となっている。
（３）遊技機正面側に向けられた前記振分け部材の一端面に所望の意匠が施されていることを特徴とする（２）項に記載の弾球遊技機の不正行為防止構造。
意匠とは、例えば平面的な模様やキャラクタ、あるいは浮彫り等のような立体的な装飾等を指す。
【発明の効果】
【０００７】
（１）項に記載の発明によれば、不正行為、特にどつき行為の防止を極めて低コストかつ容易に実現でき、しかも、多数の遊技機が設置される遊技場において遊技者に混乱を与えることもない、弾球遊技機の不正行為防止構造を提供できる。
（２）項に記載の発明によれば、上記（１）項に記載の発明の効果に加えて、同（１）項に記載の発明における振分け装置を、変化に富み、面白みが付加された演出部材として兼用させることができる。
（３）項に記載の発明によれば、振分け部材の一端面（正面）を有効利用できる。つまり、振分け部材を演出部材としても機能させ得る。
【発明を実施するための最良の形態】
【０００８】
以下、本発明の実施の形態を図面に基づき説明する。なお、各図間において、同一符号は同一又は相当部分を示す。
図１は、本発明による不正行為防止構造が適用されたパチンコ機の遊技盤の盤面構成例を示す図である。
図示するように、盤面１にはレール２が取り付けられており、このレール２の内側には、遊技領域３が形成されている。レール２は、図示しないハンドルの操作により発射された遊技球（図示せず）が盤面１の左側上部から遊技領域３内へ打ち込まれるように案内する。
【０００９】
遊技領域３には種々の遊技領域構成部品が設けられている。
すなわち、遊技領域３のほぼ中央には液晶表示器等からなる図柄表示装置の画面（図柄表示画面）４が配置されている。そして、その図柄表示画面４の周囲には、装飾部品５がセンタ飾りとして配置され、図柄表示画面４の周囲を装飾している。
図柄表示画面４の下方及びその両側には始動入賞口６が、図柄表示画面４の上方には上大入賞口７が、図柄表示画面４の下方の始動入賞口６の直下には下大入賞口８が、各々設けられている。その他、いくつかの一般入賞口９が遊技領域３に設けられている。入賞口に入賞（入球）すると賞球が獲得される。
上，下大入賞口７，８は、図１では閉じた状態を示しているが、開放時には、他の入賞口６，９よりも入賞が著しく容易な形態となるように、ここでは入賞開口が著しく大きくなるように構成されている。したがって遊技者は、上，下大入賞口７，８の開放時には一般入賞口９や始動入賞口６の入賞時よりも多くの賞球を獲得できる。
更に、遊技領域３には、詳細を後述する遊技球振分け機構が設けられた箇所に、第１経路及び第２経路への入口等が各々開口している（図１においては符号が省略されている）。
【００１０】
遊技領域３の左右、両側方には、サイドランプ１０が設けられている。ゲート１１や風車１２も遊技領域３の適所に設けられている。
遊技領域３の最下部には、入賞しなかった遊技球を回収するアウト口１３が設けられている。
更に、上記各部品１，２，４〜１２やアウト口１３を避けた適宜箇所には、多数の遊技釘１４（一部のみ図示）が打ち込まれている。なお、遊技領域３は透明ガラス板（図示せず）により覆われ、遊技球が遊技領域３から離脱することはない。
【００１１】
本発明による不正行為防止構造は、このような遊技領域３に設けられた遊技球振分け機構（図１中、破線で囲んだ領域２１内に示す。）に適用されている。
以下、図２及び図３を参照して上記遊技球振分け機構２１の具体例を説明する。
両図は、遊技球振分け機構２１の一例を取り出し拡大して示す正面図であって、図２は、遊技球２２が遊技球振分け機構２１中の振分け装置２３の手前の待機部２４に到達した状態を示し、図３は待機部２４に到達した遊技球２２が振分け装置２３に取込まれた状態を示す。
上記遊技球振分け機構２１は、その主構成をなす振分け装置２３により、遊技球２２を、特定の領域（ここではＶゾーン）を通過させて賞球を獲得させ得る第１経路２５、又はＶゾーンを通過させることのない第２経路２６のうちのいずれかに振分け導入させる機構である。
【００１２】
第１経路２５又は第２経路２６ヘは、遊技領域３（図１参照）に設けられた入口２７に到達した遊技球２２が、その入口２７から緩やかな下り勾配の誘導路２８を通って待機部２４に到達した遊技球２２が導入される。
遊技球２２が上記入口（誘導路入口）２７に到達するまでの経路は任意に設定できる。図１に示す例では、上大入賞口７に入賞した遊技球２２のみが誘導路入口２７に到達でき、その経路は、説明を省略するが概ね図１中の矢印イに示す通りである。矢印イで示す経路中には、上記遊技球振分け機構２１とは別個のいくつかの遊技球振分け機構が介在し、そこを通過する都度、遊技者を楽しませる。
【００１３】
待機部２４に到達した遊技球２２が第１経路２５又は第２経路２６のどちらに導入されるかは待機部到達時の振分け装置２３の駆動状態に依存する。
ここで振分け装置２３は、軸周り方向に回転自在で、回転軸方向に交差する一端面がパチンコ機正面側に向けられ、外周面には外れ球保持部３１と当り球保持部３２とが間隔を置いて切欠き形成された振分け部材３３を備える。図示例では、２つの外れ球保持部３１及び１つの当り球保持部３２がほぼ１２０°間隔で外周面に形成された振分け部材３３を備える。
振分け部材３３は、パチンコ機稼働中、回転し続けるように構成してもよく、また、上大入賞口７に遊技球２２が入賞してから回転開始するように構成してもよい。いずれにしても振分け部材３３は、この振分け部材３３とで振分け装置２３の主構成をなし、振分け部材３３の回転軸に出力軸が連結された減速機構付きのモータ（図示せず）により回転される。図示例では時計回りに回転される（矢印ロ参照）。
振分け部材３３の正面には、所望の意匠、例えば平面的な模様やキャラクタが描かれ、あるいは浮彫り等による装飾等が施されている。図示例では、扇子を持って両手を上げた、豚を擬人化したキャラクタが振分け部材３３の正面に浮彫りされている。
【００１４】
遊技球振分け機構２１は、上記のような振分け装置２３を備え、待機部２４に到達した遊技球２２を、回転する振分け部材３３の最初に対向する外れ球保持部３１又は当り球保持部３２内に落下保持させて移動する。
そして、外れ球保持部３１内に保持した遊技球２２を、その外れ球保持部３１が上記第２経路２６の入口２６ａに対向した際にその第２経路２６内に落下導入させ、あるいは当り球保持部３２内に保持した遊技球２２を、その当り球保持部３２が下方に向いた時に第１経路２５内に落下導入させるように構成されている。
【００１５】
図示例では、外れ球保持部３１はその奥行き方向（図示面に直交する方向）に何ら障害物が形成されてなく、かつ、その内周面がパチンコ機背面側に向けてやや広げられている。そして、外れ球保持部３１が、振分け部材３３の回転に伴って振分け部材取付け面の３時の方向に配置された第２経路２６の入口２６ａと対向する位置に達したときに、遊技球２２が自重によって同入口２６ａ側に移動し、外れ球保持部３１から離脱して第２経路２６内に落下導入されるように構成されている。
【００１６】
また当り球保持部３２は、その奥行き方向の背面側に振分け部材外周側が欠けたほぼ半月状のストッパ壁３２ａが形成されている。そして当り球保持部３２が、振分け部材３３の回転に伴って振分け部材取付け面の６時の方向に配置された第１経路２５の入口２５ａと対向する位置に達したときに、遊技球２２が自重によって同入口２５ａ側に落下し、当り球保持部３２から落下離脱して第１経路２５内に導入されるように構成されている。
なおストッパ壁３２ａは、当り球保持部３２が、振分け部材３３の回転に伴って第２経路２６の入口２６ａと対向する位置に達したときでも、遊技球２２が同入口２６ａ側に移動させないために設けられている。
【００１７】
符号３４は、第１経路２５の入口２５ａから同経路２５内部に向けて下り勾配に形成された、側面視直角三角形のリブ状のガイドで、当り球保持部３２から落下離脱した遊技球２２を上端面で受けて第１経路２５内方に案内する。
なお図２では、遊技球２２が待機部２４に到達した時に、外れ球保持部３１及び当り球保持部３２のいずれも遊技球２２と向かい合っていない場合を例示したが、遊技球２２が待機部２４に到達した時に、外れ球保持部３１又は当り球保持部３２のいずれかが遊技球２２と向かい合うこともあることはいうまでもない。この場合、待機部２４に到達した遊技球２２は、図２に示す状態を経ることなく、例えば図３に示す状態に移行する。
【００１８】
このような遊技球振分け機構２１において、本実施形態の不正行為防止構造は、上記振分け装置２３側を落下面側とする段差４１からなるもので、この段差４１は、遊技球２２が待機部２４に位置したときの同遊技球２２の背面側（図中、左側）の適宜箇所に設けられている。図示例では、待機部２４に遊技球２２が位置したときの同遊技球２２の背面が接触する位置に段差４１が設けられている。
段差４１の寸法（高低差）は、本実施形態が適用されるパチンコ機の一般的な構造において、遊技領域３（図１参照）の前面を覆う透明ガラス板やパチンコ機前枠（いずれも図示せず）を叩く等して衝撃や振動を加えることで（所謂どつき行為等によって）、段差４１を通過し待機部２４に位置した遊技球２２を、段差４１を乗り越えて入口２７側に逆行させることが不可能となる程度に設定される。
【００１９】
次に、図１〜図３を参照しつつ、上述した不正行為防止構造の作用を遊技球振分け機構２１の作用と共に説明する。
図１において、遊技球（図示せず）が遊技領域３内に打ち込まれ、３つある始動入賞口６のいずれかに入賞すると大当り抽選が行われ、この大当り抽選に当ると上大入賞口７が開放する。これにより遊技球が上大入賞口７に入賞すると、その遊技球は図中左右のいずれかの方向に振分け移動されるが、いま、左方向に移動した場合には、必要な条件を満たすことによって概ね矢印イに示す経路で遊技球振分け機構２１の誘導路入口２７に到達する。
【００２０】
遊技球は、誘導路入口２７に到達すると、緩やかな下り勾配となっている誘導路２８を自重で転動走行して振分け装置２３手前の待機部２４に到達する。
図２は、遊技球２２が待機部２４に到達した時、振分け部材３３の外れ球保持部３１及び当り球保持部３２のいずれも遊技球２２に対向していない、つまり振分け部材３３の非切欠き部（円弧面）が遊技球２２に対向している場合を示している。したがってこの場合は、遊技球２２は振分け部材３３が回転して外れ球保持部３１又は当り球保持部３２のいずれかと対向するまで待機部２４に、図示例では段差４１と振分け部材３３の非切欠き部（円弧面）との間に位置している。
【００２１】
振分け部材３３が更に回転して外れ球保持部３１又は当り球保持部３２に対向すると、遊技球２２は対向した外れ球保持部３１又は当り球保持部３２内に落下保持される。
図示例では、振分け部材３３は矢印ロに示す時計回りに回転しているので、遊技球２２は外れ球保持部３１内に落下保持される（図３参照）。そして、外れ球保持部３１が第２経路２６の入口２６ａと対向する位置に達すると、遊技球２２は同入口２６ａ側に移動し、外れ球保持部３１から離脱して第２経路２６内（パチンコ機背面方向）に落下導入される。
遊技球２２が当り球保持部３２内に保持されている場合には、その遊技球２２は当り球保持部３２が下方に向いた時に第１経路２５内（パチンコ機背面方向）に落下導入される。当り球保持部３２は、下方に向くまでの間に第２経路２６の入口２６ａと対向する位置を通るが、当り球保持部３２の背面側に形成されたストッパ壁３２ａが、当り球保持部３２に保持されている遊技球２２の第２経路入口２６ａ側ヘの移動を阻止する。
【００２２】
第１経路２５内に導入された遊技球２２はＶゾーンを通過する。Ｖゾーンは、第１経路２５の入口２５ａ部分あるいはそれより奥の経路内に設定されるが、いずれにしても、遊技球２２がＶゾーンを通過すると、下大入賞口８の所定の開放動作を何回（ラウンド）繰り返すかを決定するラウンド抽選が行われる。その後、下大入賞口８は、ラウンド抽選の結果に従った回数分、開放動作を繰り返すもので、遊技者は一般入賞口９や始動入賞口６の入賞時よりも多くの賞球を獲得できる。
ラウンド抽選を、上記大当り抽選と同時に行うようにしてもよい。この場合、ラウンド抽選結果は一時記憶され、遊技球２２がＶゾーンを通過した場合に有効とされて読み出され、下大入賞口８は、その読み出されたラウンド抽選結果に従った回数分、開放動作を繰り返す。
ラウンド回数（ラウンド抽選結果に従った大入賞口開放動作回数）に、上記上大入賞口７の開放動作１回分を含めるか否かは適宜定められる。
【００２３】
したがって、誘導路入口２７に到達した遊技球２２が振分け部材３３の当り球保持部３２内に導入されるか否かは遊技者の利害に重大な影響を及ぼす。
このため、誘導路入口２７に到達した遊技球２２が振分け部材３３の外れ球保持部３１又は当り球保持部３２内のいずれに落下するかを予測し、外れ球保持部３１内に落下すると予測された場合には、誘導路２８の下り勾配が緩やかになっていることを奇貨として不正が行われる場合がある。
すなわち、遊技領域３（図１参照）の前面を覆う透明ガラス板やパチンコ機前枠（いずれも図示せず）を叩く等して衝撃や振動を加え、誘導路２８を走行する、あるいは待機部２４に到達した遊技球２２を、誘導路入口２７側に逆行させて振分け部材３３に到達する時間を先延ばしし、当り球保持部３２内に落下させようとする不正が行われる場合がある。
しかし本実施形態では、誘導路２８上の、待機部２４に遊技球２２が位置したときの同遊技球２２の背面側に、振分け装置２３側を落下面側とする段差４１を設けたので、パチンコ機に衝撃や振動を加えても遊技球２２を誘導路入口２７側に逆行させることは不可能となり、上記のような不正行為を防止できる。
しかもその構成は、誘導路２８上に単純な段差４１を設けるだけであるので、上記のような不正行為の防止を、振動センサを使用する従来技術に比べて極めて低コストかつ容易に実現できる。また、当たり孔の選択をし直す従来技術を適用した遊技場において生じた遊技者の混乱も、本実施形態においては生ずることがない。
【図面の簡単な説明】
【００２４】
【図１】本発明による不正行為防止構造が適用されたパチンコ機の遊技盤の盤面構成例を示す図である。
【図２】遊技球振分け構造の一例を取り出し拡大して示す正面図（その１）である。
【図３】遊技球振分け構造の一例を取り出し拡大して示す正面図（その２）である。
【符号の説明】
【００２５】
３：遊技領域、７，８：大入賞口、２１：遊技球振分け機構、２２：遊技球、２３：振分け装置、２４：待機部、２５：第１経路、２６：第２経路、２７：入口（誘導路入口）、２８：誘導路、３１：外れ球保持部、３２：当り球保持部、３２ａ：ストッパ壁、３３：振分け部材、４１：段差。
【図１】
2008220402.tif 000003
【図２】
2008220402.tif 000004
【図３】
2008220402.tif 000005